(57)【要約】【課題】簡便な方法により電解液中のフッ酸および水分の含有量を低減することができる電解液の精製装置および精製方法を提供する。【解決手段】電池用の電解液の精製装置であって、ゼオライトを収容した吸着装置１４を備え、吸着装置１４の前段に接続された、弱塩基性陰イオン交換樹脂を収容した陰イオン交換装置１２、および、吸着装置１４の後段に接続された、リチウム形強酸性陽イオン交換樹脂を収容した陽イオン交換装置のうちの少なくとも１つをさらに備える、電解液の精製装置である。【選択図】図１
2019053980.tif 000002
【特許請求の範囲】
【請求項１】
電池用の電解液の精製装置であって、
ゼオライトを収容した吸着装置を備え、
前記吸着装置の前段に接続された、弱塩基性陰イオン交換樹脂を収容した陰イオン交換装置、および、前記吸着装置の後段に接続された、リチウム形強酸性陽イオン交換樹脂を収容した陽イオン交換装置のうちの少なくとも１つをさらに備えることを特徴とする、電解液の精製装置。
【請求項２】
請求項１に記載の電解液の精製装置であって、
前記ゼオライトは、リチウム交換ゼオライトであることを特徴とする、電解液の精製装置。
【請求項３】
請求項１または２に記載の電解液の精製装置であって、
前記弱塩基性陰イオン交換樹脂は、３級アミン官能基を有するスチレン−ジビニルベンゼン系樹脂であることを特徴とする、電解液の精製装置。
【請求項４】
請求項１〜３のいずれか１項に記載の電解液の精製装置であって、
前記弱塩基性陰イオン交換樹脂において、中性塩分解容量が、０．２ｅｑ／Ｌ−Ｒ以下であることを特徴とする、電解液の精製装置。
【請求項５】
請求項１〜４のいずれか１項に記載の電解液の精製装置であって、
前記リチウム形強酸性陽イオン交換樹脂は、スルホン酸官能基を有するスチレン−ジビニルベンゼン系樹脂であることを特徴とする、電解液の精製装置。
【請求項６】
請求項１〜５のいずれか１項に記載の電解液の精製装置であって、
前記陽イオン交換装置を備え、
前記陽イオン交換装置により得られた陽イオン交換処理液を、前記吸着装置の上流側に循環させることを特徴とする、電解液の精製装置。
【請求項７】
電池用の電解液の精製方法であって、
ゼオライトを用いる吸着工程を含み、
前記吸着工程の前段における、弱塩基性陰イオン交換樹脂を用いる陰イオン交換工程、および、前記吸着工程の後段における、リチウム形強酸性陽イオン交換樹脂を用いる陽イオン交換工程のうちの少なくとも１つをさらに含むことを特徴とする、電解液の精製方法。
【請求項８】
請求項７に記載の電解液の精製方法であって、
前記ゼオライトは、リチウム交換ゼオライトであることを特徴とする、電解液の精製方法。
【請求項９】
請求項７または８に記載の電解液の精製方法であって、
前記弱塩基性陰イオン交換樹脂は、３級アミン官能基を有するスチレン−ジビニルベンゼン系樹脂であることを特徴とする、電解液の精製方法。
【請求項１０】
請求項７〜９のいずれか１項に記載の電解液の精製方法であって、
前記弱塩基性陰イオン交換樹脂において、中性塩分解容量が、０．２ｅｑ／Ｌ−Ｒ以下であることを特徴とする、電解液の精製方法。
【請求項１１】
請求項７〜１０のいずれか１項に記載の電解液の精製方法であって、
前記リチウム形強酸性陽イオン交換樹脂は、スルホン酸官能基を有するスチレン−ジビニルベンゼン系樹脂であることを特徴とする、電解液の精製方法。
【請求項１２】
請求項７〜１１のいずれか１項に記載の電解液の精製方法であって、
前記陽イオン交換工程を含み、
前記陽イオン交換工程により得られた陽イオン交換処理液を、前記吸着工程の上流側に循環させることを特徴とする、電解液の精製方法。
【発明の詳細な説明】
【技術分野】
【０００１】
本発明は、電解液の精製装置および精製方法に関する。
【背景技術】
【０００２】
リチウムイオン二次電池の電解液は、例えば、フッ素系のリチウム塩等の電解質を溶媒に溶解して製造される。電解液中には、フッ酸、水分等が不純物として存在するために、これらを除去する精製方法が検討されている。
【０００３】
電解液中のフッ酸の低減方法としては、例えば、イオン交換樹脂による方法（特許文献１，２，３参照）が提案されている。
【０００４】
また、特許文献４では、フッ化水素吸着材としてハイドロタルサイトによるフッ酸除去と、水分吸着材として合成ゼオライトまたは活性アルミナによる水分除去とを組み合わせた方法が提案されている。特許文献５では、リチウム交換ゼオライトにより酸と水分を除去する方法が提案されている。
【先行技術文献】
【特許文献】
【０００５】
【特許文献１】国際特許出願公開第９８／０２３５３６号パンフレット
【特許文献２】特開２０１３−１６６６８０号公報
【特許文献３】特開２０１３−０１４４９４号公報
【特許文献４】国際特許出願公開第２０１１／０７４６３１号パンフレット
【特許文献５】中国特許出願公開第１０２１０７０９３号明細書
【発明の概要】
【発明が解決しようとする課題】
【０００６】
特許文献１の方法では、陰イオン交換樹脂によりフッ酸を除去するが、水分を除去することはほとんどできず、また、陰イオン交換樹脂からの水分溶出が起こる問題がある。特許文献４，５のような無機吸着材によるフッ酸除去は、無機吸着材のフッ酸の除去性能および除去容量が小さく、また、無機吸着材からの金属不純物の溶出が起こる問題がある。
【０００７】
本発明の目的は、簡便な方法により電解液中のフッ酸および水分の含有量を低減することができる電解液の精製装置および精製方法を提供することにある。
【課題を解決するための手段】
【０００８】
本発明は、電池用の電解液の精製装置であって、ゼオライトを収容した吸着装置を備え、前記吸着装置の前段に接続された、弱塩基性陰イオン交換樹脂を収容した陰イオン交換装置、および、前記吸着装置の後段に接続された、リチウム形強酸性陽イオン交換樹脂を収容した陽イオン交換装置のうちの少なくとも１つをさらに備える、電解液の精製装置である。
【０００９】
前記電解液の精製装置において、前記ゼオライトは、リチウム交換ゼオライトであることが好ましい。
【００１０】
前記電解液の精製装置において、前記弱塩基性陰イオン交換樹脂は、３級アミン官能基を有するスチレン−ジビニルベンゼン系樹脂であることが好ましい。
【００１１】
前記電解液の精製装置における前記弱塩基性陰イオン交換樹脂において、中性塩分解容量が、０．２ｅｑ／Ｌ−Ｒ以下であることが好ましい。
【００１２】
前記電解液の精製装置において、前記リチウム形強酸性陽イオン交換樹脂は、スルホン酸官能基を有するスチレン−ジビニルベンゼン系樹脂であることが好ましい。
【００１３】
前記電解液の精製装置において、前記陽イオン交換装置を備え、前記陽イオン交換装置により得られた陽イオン交換処理液を、前記吸着装置の上流側に循環させることが好ましい。
【００１４】
また、本発明は、電池用の電解液の精製方法であって、ゼオライトを用いる吸着工程を含み、前記吸着工程の前段における、弱塩基性陰イオン交換樹脂を用いる陰イオン交換工程、および、前記吸着工程の後段における、リチウム形強酸性陽イオン交換樹脂を用いる陽イオン交換工程のうちの少なくとも１つをさらに含む、電解液の精製方法である。
【００１５】
前記電解液の精製方法において、前記ゼオライトは、リチウム交換ゼオライトであることが好ましい。
【００１６】
前記電解液の精製方法において、前記弱塩基性陰イオン交換樹脂は、３級アミン官能基を有するスチレン−ジビニルベンゼン系樹脂であることが好ましい。
【００１７】
前記電解液の精製方法における前記弱塩基性陰イオン交換樹脂において、中性塩分解容量が、０．２ｅｑ／Ｌ−Ｒ以下であることが好ましい。
【００１８】
前記電解液の精製方法において、前記リチウム形強酸性陽イオン交換樹脂は、スルホン酸官能基を有するスチレン−ジビニルベンゼン系樹脂であることが好ましい。
【００１９】
前記電解液の精製方法において、前記陽イオン交換工程を含み、前記陽イオン交換工程により得られた陽イオン交換処理液を、前記吸着工程の上流側に循環させることが好ましい。
【発明の効果】
【００２０】
本発明では、簡便な方法により電解液中のフッ酸および水分の含有量を低減することができる電解液の精製装置および精製方法を提供することができる。
【図面の簡単な説明】
【００２１】
【図１】本発明の実施形態に係る電解液の精製装置の一例を示す概略構成図である。
【図２】本発明の実施形態に係る電解液の精製装置の他の例を示す概略構成図である。
【図３】本発明の実施形態に係る電解液の精製装置の他の例を示す概略構成図である。
【図４】本発明の実施形態に係る電解液の精製装置の他の例を示す概略構成図である。
【図５】本発明の実施形態に係る電解液の精製装置の他の例を示す概略構成図である。
【発明を実施するための形態】
【００２２】
本発明の実施の形態について以下説明する。本実施形態は本発明を実施する一例であって、本発明は本実施形態に限定されるものではない。
【００２３】
本発明の実施形態に係る電解液の精製装置の一例の概略を図１に示し、その構成について説明する。電解液の精製装置１は、ゼオライトを収容した吸着装置１４を備え、吸着装置１４の前段に接続された、弱塩基性陰イオン交換樹脂を収容した陰イオン交換装置１２をさらに備える。電解液の精製装置１は、精製対象の電解液を貯留する電解液槽１０と、精製後の精製電解液を貯留する精製電解液槽１６とをさらに備えてもよい。
【００２４】
図１の電解液の精製装置１において、電解液槽１０の出口と陰イオン交換装置１２の入口とは電解液供給配管１８により接続されている。陰イオン交換装置１２の出口と吸着装置１４の入口とは陰イオン交換処理液供給配管２０により接続されている。吸着装置１４の出口と精製電解液槽１６の入口とは吸着処理液供給配管２２により接続されている。
【００２５】
本実施形態に係る電解液の精製方法および電解液の精製装置１の動作について説明する。
【００２６】
必要に応じて電解液槽１０に貯留された電解液は、電解液供給配管１８を通して陰イオン交換装置１２に送液される。陰イオン交換装置１２において、弱塩基性陰イオン交換樹脂を用いて陰イオン交換処理が行われる（陰イオン交換工程）。陰イオン交換工程では、弱塩基性陰イオン交換樹脂により、主に電解液中のフッ酸が除去されて低減される。
【００２７】
陰イオン交換処理が行われた陰イオン交換処理液は、陰イオン交換処理液供給配管２０を通して吸着装置１４に送液される。吸着装置１４において、ゼオライトを用いて吸着処理が行われる（吸着工程）。吸着工程では、ゼオライトにより、主に、電解液中の水分、および弱塩基性陰イオン交換樹脂から主に通液初期に溶出する微量の水分が吸着されて低減される。
【００２８】
吸着処理が行われた吸着処理液は、吸着処理液供給配管２２を通して精製電解液槽１６に送液されて、精製電解液として貯留される。
【００２９】
陰イオン交換工程では、弱塩基性陰イオン交換樹脂が用いられる。強塩基性陰イオン交換樹脂を用いると、電解液中の六フッ化リン酸等の電解質が吸着されてしまう場合がある。弱塩基性陰イオン交換樹脂としては、特に制限はないが、３級アミン官能基を有する樹脂が好ましい。３級アミン官能基を有する樹脂としては、３級アミン官能基を有するスチレン−ジビニルベンゼン系樹脂、アクリル樹脂、フェノール樹脂等が挙げられ、物理的強度等の点から、スチレン−ジビニルベンゼン系樹脂が好ましい。
【００３０】
３級アミン官能基を有する樹脂において、中性塩分解容量が０．２ｅｑ／Ｌ−Ｒ以下であることが好ましい。一般的に３級アミンを官能基に持つ弱塩基性陰イオン交換樹脂は、４級アミンを一部含んでいる。４級アミンがあるとＰＦ６−イオン等の陰イオンが吸着してしまうため、電解液の組成変化が大きくなってしまう。中性塩分解容量が０．２ｅｑ／Ｌ−Ｒ以下である弱塩基性陰イオン交換樹脂、すなわち実質的に３級アミンのみを官能基に持つ弱塩基性陰イオン交換樹脂を用いることにより、電解液の組成の変化を抑制することができる。
【００３１】
弱塩基性陰イオン交換樹脂としては、３級アミン官能基を有するスチレン−ジビニルベンゼン系樹脂である、ＯＲＬＩＴＥ  ＤＳ−６（オルガノ株式会社製）、ＭＯＮＯＳＰＨＥＲＥ７７（ダウ・ケミカル社製）、ＤＩＡＩＯＮ  ＷＡ３０（三菱化学社製）等が挙げられ、これらのうち、中性塩分解容量が０．２ｅｑ／Ｌ−Ｒ以下であるＯＲＬＩＴＥ  ＤＳ−６が好ましい。
【００３２】
ゼオライトとしては、リチウム交換ゼオライト、ナトリウム交換ゼオライト、水素形ゼオライト等が挙げられ、電解液中の金属組成変化等の点から、リチウム交換ゼオライトであることが好ましい。
【００３３】
ゼオライトとしては、リチウム交換ゼオライトである、ＮＳＡ−７００、ＬＢ−１００Ｅ（共に東ソー社製）等が挙げられる。
【００３４】
弱塩基性陰イオン交換樹脂およびゼオライトは、乾燥、または溶媒置換してから用いればよい。
【００３５】
精製対象である、電池用の電解液は、特に制限はないが、例えば、リチウムイオン二次電池用の電解液である。電解液は、例えば、フッ素系のリチウム塩等の電解質および溶媒を含む。電解液は、他に添加剤を含んでもよい。フッ素系のリチウム塩としては、例えば、ＬｉＰＦ６、ＬｉＡｓＦ６、ＬｉＳｂＦ６、ＬｉＢＦ４等が挙げられる。
【００３６】
溶媒としては、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、アセトニトリル、炭酸ジメチル、炭酸ジエチル、炭酸エチレン、炭酸プロピレン、エステル系溶媒、およびそれらの混合物等が挙げられる。
【００３７】
精製対象である電解液は、不純物として、例えば、フッ酸（フッ化水素）を１００〜５ｍｇ／Ｌ含み、水分を１００〜１０ｍｇ／Ｌ含む。
【００３８】
陰イオン交換装置１２は、例えば、テトラフルオロエチレン／パーフルオロアルキルビニルエーテル共重合体（ＰＦＡ）、ポリテトラフルオロエチレン樹脂（ＰＴＦＥ）等のフッ素系樹脂等の樹脂製の円筒状等の密閉容器に弱塩基性陰イオン交換樹脂が充填されたものである。
【００３９】
吸着装置１４は、例えば、テトラフルオロエチレン／パーフルオロアルキルビニルエーテル共重合体（ＰＦＡ）、ポリテトラフルオロエチレン樹脂（ＰＴＦＥ）等のフッ素系樹脂等の樹脂製の円筒状等の密閉容器にゼオライトが充填されたものである。
【００４０】
電解液槽１０および精製電解液槽１６は、例えば、テトラフルオロエチレン／パーフルオロアルキルビニルエーテル共重合体（ＰＦＡ）、ポリテトラフルオロエチレン樹脂（ＰＴＦＥ）等のフッ素系樹脂等の樹脂製の密閉容器である。
【００４１】
本実施形態に係る電解液の精製方法は、不活性ガス雰囲気下で行われることが好ましい。例えば、陰イオン交換装置１２、吸着装置１４、および後述する陽イオン交換装置２４への電解液の送液は、窒素ガス等の不活性ガスを用いて圧送すればよい。
【００４２】
本実施形態に係る電解液の精製装置および精製方法により、例えば、フッ酸を１０ｍｇ／Ｌ以下、好ましくは５ｍｇ／Ｌ以下、水分を１５ｍｇ／Ｌ以下、好ましくは１０ｍｇ／Ｌ以下にまで低減することができる。これにより、電極の腐食や電解質の分解が抑制され、リチウムイオン二次電池等の電池の長寿命化を達成することができる。
【００４３】
本発明の実施形態に係る電解液の精製装置の他の例の概略を図２に示す。電解液の精製装置２は、ゼオライトを収容した吸着装置１４を備え、吸着装置１４の後段に接続された、リチウム形強酸性陽イオン交換樹脂を収容した陽イオン交換装置２４をさらに備える。電解液の精製装置１は、精製対象の電解液を貯留する電解液槽１０と、精製後の精製電解液を貯留する精製電解液槽１６とをさらに備えてもよい。
【００４４】
図２の電解液の精製装置２において、電解液槽１０の出口と吸着装置１４の入口とは電解液供給配管２６により接続されている。吸着装置１４の出口と陽イオン交換装置２４の入口とは吸着処理液供給配管２８により接続されている。陽イオン交換装置２４の出口と精製電解液槽１６の入口とは陽イオン交換処理液供給配管３０により接続されている。
【００４５】
必要に応じて電解液槽１０に貯留された電解液は、電解液供給配管２６を通して吸着装置１４に送液される。吸着装置１４において、ゼオライトを用いて吸着処理が行われる（吸着工程）。吸着工程では、ゼオライトにより、主に電解液中の水分が吸着されて低減される。吸着工程では、除去率は低い（例えば、２０モル％程度の除去率）が、フッ酸も除去される。
【００４６】
吸着処理が行われた吸着処理液は、吸着処理液供給配管２８を通して陽イオン交換装置２４に送液される。陽イオン交換装置２４において、リチウム形強酸性陽イオン交換樹脂を用いて陽イオン交換処理が行われる（陽イオン交換工程）。陽イオン交換工程では、リチウム形強酸性陽イオン交換樹脂により、主に、ゼオライトから主に通液初期に溶出する微量のナトリウム等の陽イオンが吸着されて低減される。
【００４７】
陽イオン交換処理が行われた陽イオン交換処理液は、陽イオン交換処理液供給配管３０を通して精製電解液槽１６に送液されて、精製電解液として貯留される。
【００４８】
ゼオライトについては、上記の通りである。
【００４９】
リチウム形強酸性陽イオン交換樹脂としては、特に制限はないが、スルホン酸官能基を有する樹脂が好ましい。スルホン酸官能基を有する樹脂としては、スルホン酸官能基を有するスチレン−ジビニルベンゼン系樹脂等が挙げられる。
【００５０】
リチウム形強酸性陽イオン交換樹脂としては、スルホン酸官能基を有するスチレン−ジビニルベンゼン系樹脂である、ＡＭＢＥＲＬＩＴＥ  ２００ＣＴ（オルガノ株式会社製）、ＤＯＷＥＸ８８（ダウ・ケミカル社製）、ＤＩＡＩＯＮ  ＰＫ２１２（三菱化学社製）等が挙げられる。
【００５１】
ゼオライトおよびリチウム形強酸性陽イオン交換樹脂は、乾燥、または溶媒置換してから用いればよい。
【００５２】
陽イオン交換装置２４のリチウム形強酸性陽イオン交換樹脂から主に通液初期に溶出する水分の量を低減するために、陽イオン交換装置２４において用いられるリチウム形強酸性陽イオン交換樹脂の量ができるだけ少ない方がよい。例えば、陽イオン交換装置２４において用いられるリチウム形強酸性陽イオン交換樹脂は、出口の水分を乾燥や溶媒置換により、５０ｐｐｍ以下とすればよい。
【００５３】
陽イオン交換装置２４は、例えば、テトラフルオロエチレン／パーフルオロアルキルビニルエーテル共重合体（ＰＦＡ）、ポリテトラフルオロエチレン樹脂（ＰＴＦＥ）等のフッ素系樹脂等の樹脂製の円筒状等の密閉容器にリチウム形強酸性陽イオン交換樹脂が充填されたものである。
【００５４】
図２の電解液の精製装置２において、例えば通液初期に、ゼオライトからナトリウムイオン等が溶出することがあり、リチウム形強酸性陽イオン交換樹脂から水分が溶出することがある。そこで、図３に示すように、陽イオン交換装置２４により得られた陽イオン交換処理液を、吸着装置１４の上流側に循環させてもよい。
【００５５】
図３の電解液の精製装置３において、陽イオン交換装置２４の出口と電解液槽１０の入口とは循環配管３２により接続されている。例えば通液初期において、陽イオン交換装置２４からの陽イオン交換処理液が吸着装置１４から陽イオン交換装置２４へと循環されることにより、通液初期からナトリウムイオン等と水分の両方を除去することができる。循環は、例えば、ナトリウムイオンおよび水分の量が所定の基準値以下（例えば、ナトリウムイオンの量が５ｍｇ／Ｌ以下、水分の量が５０ｍｇ／Ｌ以下）に低減されるまで行えばよい。
【００５６】
電解液の精製装置３において、陽イオン交換処理液は吸着装置１４の上流側に循環されればよく、図３のように電解液槽１０に循環されてもよいし、循環配管３２を電解液供給配管２６の途中に接続して循環されてもよいし、吸着装置１４の入口に接続して循環されてもよい。
【００５７】
本発明の実施形態に係る電解液の精製装置の他の例の概略を図４に示す。電解液の精製装置４は、ゼオライトを収容した吸着装置１４を備え、吸着装置１４の前段に接続された、弱塩基性陰イオン交換樹脂を収容した陰イオン交換装置１２、および、吸着装置１４の後段に接続された、リチウム形強酸性陽イオン交換樹脂を収容した陽イオン交換装置２４をさらに備える。電解液の精製装置４は、精製対象の電解液を貯留する電解液槽１０と、精製後の精製電解液を貯留する精製電解液槽１６とをさらに備えてもよい。
【００５８】
図４の電解液の精製装置４において、電解液槽１０の出口と陰イオン交換装置１２の入口とは電解液供給配管３４により接続されている。陰イオン交換装置１２の出口と吸着装置１４の入口とは陰イオン交換処理液供給配管３６により接続されている。吸着装置１４の出口と陽イオン交換装置２４の入口とは吸着処理液供給配管３８により接続されている。陽イオン交換装置２４の出口と精製電解液槽１６の入口とは陽イオン交換処理液供給配管４０により接続されている。
【００５９】
必要に応じて電解液槽１０に貯留された電解液は、電解液供給配管３４を通して陰イオン交換装置１２に送液される。陰イオン交換装置１２において、弱塩基性陰イオン交換樹脂を用いて陰イオン交換処理が行われる（陰イオン交換工程）。陰イオン交換工程では、弱塩基性陰イオン交換樹脂により、主に電解液中のフッ酸が除去されて低減される。
【００６０】
陰イオン交換処理が行われた陰イオン交換処理液は、陰イオン交換処理液供給配管３６を通して吸着装置１４に送液される。吸着装置１４において、ゼオライトを用いて吸着処理が行われる（吸着工程）。吸着工程では、ゼオライトにより、主に、電解液中の水分、および弱塩基性陰イオン交換樹脂から主に通液初期に溶出する微量の水分が吸着されて低減される。
【００６１】
吸着処理が行われた吸着処理液は、吸着処理液供給配管３８を通して陽イオン交換装置２４に送液される。陽イオン交換装置２４において、リチウム形強酸性陽イオン交換樹脂を用いて陽イオン交換処理が行われる（陽イオン交換工程）。陽イオン交換工程では、リチウム形強酸性陽イオン交換樹脂により、主に、ゼオライトから主に通液初期に溶出する微量のナトリウム等の陽イオンが吸着されて低減される。
【００６２】
陽イオン交換処理が行われた陽イオン交換処理液は、陽イオン交換処理液供給配管４０を通して精製電解液槽１６に送液されて、精製電解液として貯留される。
【００６３】
弱塩基性陰イオン交換樹脂、ゼオライト、リチウム形強酸性陽イオン交換樹脂については、上記の通りである。
【００６４】
図４の電解液の精製装置４において、例えば通液初期に、ゼオライトからナトリウムイオン等が溶出することがあり、リチウム形強酸性陽イオン交換樹脂から水分が溶出することがある。そこで、図５に示すように、陽イオン交換装置２４により得られた陽イオン交換処理液を、吸着装置１４の上流側に循環させてもよい。
【００６５】
図５の電解液の精製装置５において、陽イオン交換装置２４の出口と電解液槽１０の入口とは循環配管４２により接続されている。また、循環配管４２から分岐された循環配管４４は、吸着装置１４の入口に接続されている。
【００６６】
例えば通液初期において、陽イオン交換装置２４からの陽イオン交換処理液が陰イオン交換装置１２、吸着装置１４から陽イオン交換装置２４へと循環されることにより、または吸着装置１４から陽イオン交換装置２４へと循環されることにより、通液初期からナトリウムイオン等と水分の両方を除去することができる。循環は、例えば、ナトリウムイオンおよび水分の量が所定の基準値以下（例えば、ナトリウムイオンの量が５ｍｇ／Ｌ以下、水分の量が５０ｍｇ／Ｌ以下）に低減するまで行えばよい。フッ酸低減等の点から、陽イオン交換装置２４により得られた陽イオン交換処理液を、陰イオン交換装置１２の上流側に循環させることが好ましい。
【００６７】
電解液の精製装置５において、陽イオン交換処理液は吸着装置１４の上流側に循環されればよく、図５のように電解液槽１０に循環されてもよいし、循環配管４２を電解液供給配管３４の途中や陰イオン交換処理液供給配管３６の途中に接続して循環されてもよい。
【実施例】
【００６８】
以下、実施例および比較例を挙げ、本発明をより具体的に詳細に説明するが、本発明は、以下の実施例に限定されるものではない。
【００６９】
＜実施例１＞
図１に示す方法により電解液の精製を行った。弱塩基性陰イオン交換樹脂（オルガノ株式会社製、ＯＲＬＩＴＥ  ＤＳ−６、中性塩分解容量が、０．２ｅｑ／Ｌ−Ｒ以下）と、リチウム交換ゼオライト（東ソー株式会社製、ＬＢ−１００Ｅ）を、それぞれテトラフルオロエチレン／パーフルオロアルキルビニルエーテル共重合体（ＰＦＡ）製カラム、ポリテトラフルオロエチレン樹脂（ＰＴＦＥ）製カラムに充填した。次に、ＰＦＡ製圧送容器またはＰＴＦＥ製圧送容器にそれぞれ充填した、リチウムイオン二次電池用の電解液（キシダ化学株式会社製、１ｍｏｌ／Ｌ  ＬｉＰＦ６／エチレンカーボネート（ＥＣ）：ジメチルカーボネート（ＤＭＣ）（１：１ｖ／ｖ％））を、窒素ガスにて弱塩基性陰イオン交換樹脂、ゼオライトの順番で、各カラムの充填材に対して、ＳＶ＝４ｈ−１の条件にて圧送し、処理を行った。
【００７０】
なお、弱塩基性陰イオン交換樹脂における中性塩分解容量は、イオン形をＯＨ形にした弱塩基性陰イオン交換樹脂に対し、１ＮのＮａＣｌ水溶液を通液し、流出したＨＣｌの量をＮａＯＨにより中和滴定する方法により測定した。
【００７１】
電解液原液、陰イオン交換処理液、ゼオライト処理液について、イオンクロマトグラフ装置（サーモフィッシャーサイエンティフィック製、Ｄｉｏｎｅｘ  ＩＣＳ−５０００型）を用いてイオンクロマトグラフ法によりフッ酸（ＨＦ）の含有量の分析を行い、微量水分測定装置（平沼産業製、ＡＱ−２２００Ａ型）を用いてカールフィッシャ法により水分の含有量の分析を行った。電解液原液、陰イオン交換処理液、ゼオライト処理液中のフッ酸（ＨＦ）および水分の含有量を表１に示す。
【００７２】
【表１】
2019053980.tif 000003
【００７３】
このように、実施例１の方法によって、簡便な方法により電解液中のフッ酸および水分の含有量を低減することができた。
【００７４】
＜実施例２＞
図２に示す方法により電解液の精製を行った。リチウム交換ゼオライト（東ソー株式会社製、ＬＢ−１００Ｅ）と、リチウム形強酸性陽イオン交換樹脂（オルガノ株式会社製、ＯＲＬＩＴＥ  ＤＳ−４を、水酸化リチウムによりリチウム形に変換したもの）を、それぞれＰＦＡ製カラムまたはＰＴＦＥ製カラムに充填した。次に、ＰＦＡ製圧送容器またはＰＴＦＥ製圧送容器に充填したリチウムイオン二次電池用の電解液（キシダ化学株式会社製、１ｍｏｌ／Ｌ  ＬｉＰＦ６／エチレンカーボネート（ＥＣ）：ジメチルカーボネート（ＤＭＣ）（１：１ｖ／ｖ％））を、窒素ガスにてゼオライト、強酸性陽イオン交換樹脂の順番で、各カラムの充填材に対して、ＳＶ＝４ｈ−１の条件にて送液し、強酸性陽イオン交換樹脂の処理液を循環せずに処理を行った。
【００７５】
電解液原液、ゼオライト処理液、強酸性陽イオン交換樹脂処理液について、イオンクロマトグラフ装置（サーモフィッシャーサイエンティフィック製、Ｄｉｏｎｅｘ  ＩＣＳ−５０００型）を用いてイオンクロマトグラフ法によりフッ酸（ＨＦ）の含有量の分析を行い、微量水分測定装置（平沼産業製、ＡＱ−２２００Ａ型）を用いてカールフィッシャ法により水分の含有量の分析を行い、原子吸光分光光度計（島津製作所製、ＡＡ−６２００）、またはＩＣＰ発光分光分析装置（日立ハイテクサイエンス製、ＰＳ７８００）を用いて金属（Ｎａ、Ｋ、Ｃａ、Ｍｇ、Ｆｅ、Ｃｕ、Ｚｎ、Ｎｉ、Ａｌ、Ｃｒ、Ａｓ、Ｐｔ）の含有量の分析を行った。電解液原液、ゼオライト処理液、強酸性陽イオン交換樹脂処理液中のフッ酸（ＨＦ）、水分、金属（１ｍｇ／Ｌ＜の元素）の含有量を表２に示す。
【００７６】
【表２】
2019053980.tif 000004
【００７７】
このように、実施例２の方法によって、簡便な方法により電解液中のフッ酸および水分の含有量を低減することができた。
【００７８】
＜実施例３＞
図３に示す方法により電解液の精製を行った。リチウム交換ゼオライト（東ソー株式会社製、ＬＢ−１００Ｅ）と、リチウム形強酸性陽イオン交換樹脂（オルガノ株式会社製、ＯＲＬＩＴＥ  ＤＳ−４を、水酸化リチウムによりリチウム形に変換したもの）を、それぞれＰＦＡ製カラムまたはＰＴＦＥ製カラムに充填した。次に、ＰＦＡ製圧送容器またはＰＴＦＥ製圧送容器に充填したリチウムイオン二次電池用の電解液（キシダ化学株式会社製、１ｍｏｌ／Ｌ  ＬｉＰＦ６／エチレンカーボネート（ＥＣ）：ジメチルカーボネート（ＤＭＣ）（１：１ｖ／ｖ％））を、ポンプにてゼオライト、強酸性陽イオン交換樹脂の順番で、各カラムの充填材に対して、ＳＶ＝４ｈ−１の条件にて送液し、強酸性陽イオン交換樹脂の処理液をゼオライトの上流側に循環させることで処理を行った。
【００７９】
電解液原液、ゼオライト処理液、強酸性陽イオン交換樹脂処理液について、イオンクロマトグラフ装置（サーモフィッシャーサイエンティフィック製、Ｄｉｏｎｅｘ  ＩＣＳ−５０００型）を用いてイオンクロマトグラフ法によりフッ酸（ＨＦ）の含有量の分析を行い、微量水分測定装置（平沼産業製、ＡＱ−２２００Ａ型）を用いてカールフィッシャ法により水分の含有量の分析を行い、原子吸光分光光度計（島津製作所製、ＡＡ−６２００）、またはＩＣＰ発光分光分析装置（日立ハイテクサイエンス製、ＰＳ７８００）を用いて金属（Ｎａ、Ｋ、Ｃａ、Ｍｇ、Ｆｅ、Ｃｕ、Ｚｎ、Ｎｉ、Ａｌ、Ｃｒ、Ａｓ、Ｐｔ）の含有量の分析を行った。電解液原液、ゼオライト処理液、強酸性陽イオン交換樹脂処理液中のフッ酸（ＨＦ）、水分、金属（１ｍｇ／Ｌ＜の元素）の含有量を表３に示す。
【００８０】
【表３】
2019053980.tif 000005
【００８１】
このように、実施例３の方法によって、簡便な方法により電解液中のフッ酸および水分の含有量を低減することができた。
【００８２】
＜実施例４＞
図４に示す方法により電解液の精製を行った。弱塩基性陰イオン交換樹脂（オルガノ株式会社製、ＯＲＬＩＴＥ  ＤＳ−６、中性塩分解容量が、０．２ｅｑ／Ｌ−Ｒ以下）と、リチウム交換ゼオライト（東ソー株式会社製、ＬＢ−１００Ｅ）と、リチウム形強酸性陽イオン交換樹脂（オルガノ株式会社製、ＯＲＬＩＴＥ  ＤＳ−４を、水酸化リチウムによりリチウム形に変換したもの）を、それぞれＰＦＡ製カラムまたはＰＴＦＥ製カラムに充填した。次に、ＰＦＡ製圧送容器またはＰＴＦＥ製圧送容器に充填したリチウムイオン二次電池用の電解液（キシダ化学株式会社製、１ｍｏｌ／Ｌ  ＬｉＰＦ６／エチレンカーボネート（ＥＣ）：ジメチルカーボネート（ＤＭＣ）（１：１ｖ／ｖ％））を、窒素ガスにて弱塩基性陰イオン交換樹脂、ゼオライト、強酸性陽イオン交換樹脂の順番で、各カラムの充填材に対して、ＳＶ＝４ｈ−１の条件にて送液し、強酸性陽イオン交換樹脂の処理液を循環せずに処理を行った。
【００８３】
電解液原液、弱塩基性陰イオン交換樹脂、ゼオライト処理液、強酸性陽イオン交換樹脂処理液について、イオンクロマトグラフ装置（サーモフィッシャーサイエンティフィック製、Ｄｉｏｎｅｘ  ＩＣＳ−５０００型）を用いてイオンクロマトグラフ法によりフッ酸（ＨＦ）の含有量の分析を行い、微量水分測定装置（平沼産業製、ＡＱ−２２００Ａ型）を用いてカールフィッシャ法により水分の含有量の分析を行い、原子吸光分光光度計（島津製作所製、ＡＡ−６２００）、またはＩＣＰ発光分光分析装置（日立ハイテクサイエンス製、ＰＳ７８００）を用いて金属（Ｎａ、Ｋ、Ｃａ、Ｍｇ、Ｆｅ、Ｃｕ、Ｚｎ、Ｎｉ、Ａｌ、Ｃｒ、Ａｓ、Ｐｔ）の含有量の分析を行った。電解液原液、陰イオン交換処理液、ゼオライト処理液、強酸性陽イオン交換樹脂処理液中のフッ酸（ＨＦ）、水分、金属（１ｍｇ／Ｌ＜の元素）の含有量を表４に示す。
【００８４】
【表４】
2019053980.tif 000006
【００８５】
このように、実施例４の方法によって、簡便な方法により電解液中のフッ酸および水分の含有量を低減することができた。
【００８６】
＜実施例５＞
図５に示す方法により電解液の精製を行った。弱塩基性陰イオン交換樹脂（オルガノ株式会社製、ＯＲＬＩＴＥ  ＤＳ−６、中性塩分解容量が、０．２ｅｑ／Ｌ−Ｒ以下）と、リチウム交換ゼオライト（東ソー株式会社製、ＬＢ−１００Ｅ）と、リチウム形強酸性陽イオン交換樹脂（オルガノ株式会社製、ＯＲＬＩＴＥ  ＤＳ−４を、水酸化リチウムによりリチウム形に変換したもの）を、それぞれＰＦＡ製カラムまたはＰＴＦＥ製カラムに充填した。次に、ＰＦＡ製容器またはＰＴＦＥ製容器に充填したリチウムイオン二次電池用の電解液（キシダ化学株式会社製、１ｍｏｌ／Ｌ  ＬｉＰＦ６／エチレンカーボネート（ＥＣ）：ジメチルカーボネート（ＤＭＣ）（１：１ｖ／ｖ％））を、ポンプにて弱塩基性陰イオン交換樹脂、ゼオライト、強酸性陽イオン交換樹脂の順番で、各カラムの充填材に対して、ＳＶ＝４ｈ−１の条件にて送液し、強酸性陽イオン交換樹脂の処理液を弱塩基性陰イオン交換樹脂の上流側に循環させることで処理を行った。
【００８７】
電解液原液、弱塩基性陰イオン交換樹脂、ゼオライト処理液、強酸性陽イオン交換樹脂処理液について、イオンクロマトグラフ装置（サーモフィッシャーサイエンティフィック製、Ｄｉｏｎｅｘ  ＩＣＳ−５０００型）を用いてイオンクロマトグラフ法によりフッ酸（ＨＦ）の含有量の分析を行い、微量水分測定装置（平沼産業製、ＡＱ−２２００Ａ型）を用いてカールフィッシャ法により水分の含有量の分析を行い、原子吸光分光光度計（島津製作所製、ＡＡ−６２００）、またはＩＣＰ発光分光分析装置（日立ハイテクサイエンス製、ＰＳ７８００）を用いて金属（Ｎａ、Ｋ、Ｃａ、Ｍｇ、Ｆｅ、Ｃｕ、Ｚｎ、Ｎｉ、Ａｌ、Ｃｒ、Ａｓ、Ｐｔ）の含有量の分析を行った。電解液原液、陰イオン交換処理液、ゼオライト処理液、強酸性陽イオン交換樹脂処理液中のフッ酸（ＨＦ）、水分、金属（１ｍｇ／Ｌ＜の元素）の含有量を表５に示す。
【００８８】
【表５】
2019053980.tif 000007
【００８９】
このように、実施例５の方法によって、簡便な方法により電解液中のフッ酸および水分の含有量を低減することができた。
【００９０】
以上のように、実施例の方法によって、簡便な方法により電解液中のフッ酸および水分の含有量を低減することができた。
【符号の説明】
【００９１】
１，２，３，４，５  電解液の精製装置、１０  電解液槽、１２  陰イオン交換装置、１４  吸着装置、１６  精製電解液槽、１８，２６，３４  電解液供給配管、２０，３６  陰イオン交換処理液供給配管、２２，２８，３８  吸着処理液供給配管、２４  陽イオン交換装置、３０，４０  陽イオン交換処理液供給配管、３２，４２，４４  循環配管。
【図１】
2019053980.tif 000008
【図２】
2019053980.tif 000009
【図３】
2019053980.tif 000010
【図４】
2019053980.tif 000011
【図５】
2019053980.tif 000012